(57)【要約】【課題】親綱に連結した命綱の一端を、作業者に結んだ状態で作業者が転落した時、作業者の体重が命綱を介して衝撃的に作業者に加わり、作業者がその衝撃で骨折や内臓破裂を起こすことがある。【解決手段】命綱を嵌合した親綱に加わる衝撃負荷を、親綱または親綱支柱の一部であって、機械的強度が脆弱な部分に設けた衝撃吸収部分によって緩衝するようにして命綱を保持する。【選択図】        図１
2004194897.tif 000002
【特許請求の範囲】
【請求項１】
命綱を嵌合した親綱に加わる衝撃負荷を、親綱または親綱支柱に設けた衝撃吸収部分によって緩衝するようにして命綱を保持することを特徴とする命綱保持方法。
【請求項２】
建築、土木工事用の作業通路の片側または両側あるいは枠組み足場の足場板の片側または両側に親綱支柱を二つ以上起立し、各親綱支柱間に親綱を架設し、この親綱に命綱の基端を固定またはスライド自在に連結し、命綱の他端を作業者の身体に連結させている命綱保持用の安全装置において、親綱支柱の一部に機械的な強度が脆弱な部分を形成したことを特徴とする命綱保持用の安全装置。
【請求項３】
命綱を嵌合した親綱が連結された親綱支柱と、親綱支柱を保持する建枠とからなる命綱保持用の安全装置において、命綱からの衝撃負荷に対して変形自在な部分を親綱支柱に形成したことを特徴とする命綱保持用の安全装置。
【請求項４】
命綱を嵌合した親綱が連結された親綱支柱と、親綱支柱を保持する建枠とからなる命綱保持用の安全装置において、命綱からの衝撃負荷に対して変形自在な部分を親綱自体に形成したことを特徴とする命綱保持用の安全装置。
【請求項５】
命綱からの衝撃負荷に対して変形自在な部分が、局部的に細い形状に形成されていることを特徴とする請求項３または請求項４に記載の命綱保持用の安全装置。
【請求項６】
命綱からの衝撃負荷に対して変形自在な部分が、局部的に細い形状で複数の個所に形成されていることを特徴とする請求項５に記載の命綱保持用の安全装置。
【請求項７】
命綱からの衝撃負荷に対して変形自在な部分が、局部的に設けた穴で形成されていることを特徴とする請求項３または請求項４に記載の命綱保持用の安全装置。
【請求項８】
命綱からの衝撃負荷に対して変形自在な部分が、先端部方向に向かって細い形状に形成されていることを特徴とする請求項３に記載の命綱保持用の安全装置。
【請求項９】
親綱支柱と親綱とが、手摺の手摺支柱と手摺支柱間に架設した横支柱とを兼ねていることを特徴とする、請求項２から請求項８のいずれかに記載の命綱保持用の安全装置。
【発明の詳細な説明】
【０００１】
【発明の属する技術分野】
本発明は、建築・土木工事用作業通路又は枠組足場等に使用され、命綱を嵌合した親綱に加わる衝撃負荷を、親綱または親綱支柱に設けた衝撃吸収部分によって緩衝するようにして命綱を保持することを特徴とする、命綱保持方法および命綱保持用の安全装置に関する。
【０００２】
【従来技術とその課題】
従来、建築・土木工事用作業通路又は枠組足場等には、作業者の歩行を容易にするとともに作業性を向上するために、特許第３３１１７４２号公報（特許文献１参照）に示されるるように、作業者の命綱を親綱に連結して親綱支柱で支持するとともに、親綱支柱を調整可能に設置している。
【０００３】
一方、作業通路又は枠組足場に設置された親綱支柱で支持された親綱に命綱を連結していても、作業者が転倒して通路や足場から落下したとき、作業者の体重がその数十倍の負荷となって、命綱を介して衝撃的に作業者自身に加わり、作業者がその衝撃で骨折や内臓破裂等を起こす恐れがありその問題を解決するという課題がある。
【０００４】
他方、上記の作業通路や枠組足場では通常手摺が設置されているのが普通であり、この手摺で作業の安全を図っているのが普通であるが、より安全の向上を図るためにこの手摺に命綱を設けることも可能である。
【０００５】
しかし、この手摺は、全体的に親綱支柱ほど強度があるわけではなく、衝撃を吸収機構もないので実際には命綱を手摺に取付ることが出来ないと不具合があった。
【０００６】
【特許文献１】
特許第３３１１７４２号公報（図２）
本発明は、足場に使用され、命綱を嵌合した親綱に加わる衝撃負荷を、親綱または親綱支柱等に設けた衝撃吸収部分によって緩衝するようにして命綱を保持することを特徴とする命綱保持方法および命綱保持用の安全装置を提供することを目的とする。
【０００７】
本発明は、上記課題を解決するため請求項1に記載した発明によれば、命綱を嵌合した親綱に加わる衝撃負荷を、親綱または親綱支柱に設けた衝撃吸収部分によって緩衝するようにして命綱を保持するようにしている。
【０００８】
また、請求項２に記載した発明によれば、建築、土木工事用の作業通路の片側または両側あるいは枠組み足場の足場板の片側または両側に親綱支柱を二つ以上起立し、各親綱支柱間に親綱を架設し、この親綱に命綱の基端を固定またはスライド自在に連結し、命綱の他端を作業者の身体に連結させている命綱保持用の安全装置において、親綱支柱の一部に機械的な強度が脆弱な部分を形成している。
【０００９】
また、請求項３に記載した発明によれば、命綱を嵌合した親綱が連結された親綱支柱と、該親綱支柱を保持する建枠とからなる命綱保持用の安全装置において、命綱からの衝撃負荷に対して変形自在な部分を親綱支柱に形成している。
【００１０】
さらに、請求項４に記載した発明によれば、命綱を嵌合した親綱が連結された親綱支柱と、該親綱支柱を保持する建枠とからなる命綱保持用の安全装置において、命綱からの衝撃負荷に対して変形自在な部分を親綱自体に形成している。
【００１１】
さらに、請求項５に記載した発明によれば、命綱からの衝撃負荷に対して変形自在な部分が、親綱支柱または親綱自体に局部的に細い形状に形成されている。
【００１２】
さらに、請求項６に記載した発明によれば、命綱からの衝撃負荷に対して変形自在な部分が、親綱支柱または親綱自体に局部的に細い形状で複数の個所に形成されている。
【００１３】
さらに、請求項７に記載した発明によれば、命綱からの衝撃負荷に対して変形自在な部分が、親綱支柱または親綱自体に局部的に設けた穴で形成されている。
【００１４】
さらに、請求項８に記載した発明によれば、命綱からの衝撃負荷に対して変形自在な部分が、親綱支柱の先端部方向に向かって細い形状に形成されている。
【００１５】
さらに、請求項９に記載した発明によれば、親綱支柱と親綱とが、手摺の手摺支柱と手摺支柱間に架設した横支柱とを兼ねた状態で、衝撃吸収部分をして形成いる。
【００１６】
【発明の実施の形態】
以下、本発明の一実施の形態について、図面を参照して詳細に説明する。
【００１７】
図1において、鉄骨フランジ等の足場Ａを構成する建材１には親綱支柱２が支持されており、その先端部２ａには親綱３が連結されている。
【００１８】
また、親綱３には命綱４の一端が嵌合されており、命綱４の他端は作業者５に連結されている。
【００１９】
さらに、親綱支柱２の下部には、くびれ部２ｂが衝撃吸収のため、機械的な強度が脆弱な部分として形成されている。
【００２０】
なお、くびれ部２ｂは、衝撃力が加わったときそこに応力が集中しないように、急激な断面積の変化を生じないようにする必要がある。
【００２１】
すなわち、Ｖ字型の切込みを避けて、円弧状または鼓状など緩やかな断面積の変化になるような切込みにするのが好ましい。
【００２２】
図１（Ａ）は、足場Ａ上で作業者５が転倒した直後の状態、図１（Ｂ）は、作業者５が足場Ａから落下中の状態、図１（Ｃ）は、作業者５が命綱に吊り下げられた状態をそれぞれ示している。
【００２３】
図１（Ｃ）において、作業者５が図１（Ｂ）の状態からさらに落下して、命綱４が完全に伸びきった状態になったとき、親綱３が引き寄せられ作業者５の体重が、命綱４を介して一旦は作業者５にかかる。
【００２４】
しかし、その後作業者の体重による衝撃荷重により、親綱４が引っ張られて親綱支柱２に伝わり、それによって親綱支柱２のくびれ部２ｂが屈曲することによって、命綱４から作業者５にかかる衝撃力が緩和される。
【００２５】
すなわち、図１（Ｂ）の状態から図１（Ｃ）の状態になるまでに、作業者５の体重によって命綱４および親綱３が伸張され、その後作業者の体重による衝撃力は、親綱支柱２がくびれ部２ｂから屈曲することによって、親綱支柱２を変形させるエネルギーとなって吸収されることになる。
【００２６】
図２は、親綱支柱２の拡大説明図であり、図２（Ａ）は静止状態、図２（Ｂ）は屈曲後の状態を二点鎖線によって示している。
【００２７】
図２（Ａ）は、足場上の歩行方向の側面図であり、図２（Ｂ）は、足場上の歩行方向に直角方向の正面図である。
【００２８】
親綱支柱２は、金具１ａ，１ｂにより建て材１に結合され、建て材１および横材７によって建て枠を構成し、横材７の上方には足場板６が支持されている。
【００２９】
図３は、図２の場合に対して、くびれ部２ｂの上方にさらに、くびれ部２ｃを形成した形態を示している。
【００３０】
この場合に、くびれ部２ｃはくびれ部２ｂよりも細く形成されているから、作業者５の体重による衝撃力は、初めに親綱支柱２のくびれ部２ｃによって緩和され、その後さらにくびれ部２ｂによって緩和される。
【００３１】
すなわち衝撃力は、図１，図２の場合に比べて一層緩やかに緩和されるから、作業者５に加わる衝撃がより軽減される。
【００３２】
図４は、図２の場合に比べくぼみ２ｂに変えて、親綱支柱２の側方から穴２ｄを形成して衝撃吸収部としたものである。
【００３３】
この場合に、穴２ｄを形成する方向は、親綱支柱２が屈曲すべき方向を考慮して形成することが必要である。
【００３４】
図５は、図２のくびれ部２ｂを廃止して、親綱支柱２のほぼ中間部分２ｅから先端方向にかけて、支柱の直径を細くしたものである。
【００３５】
この場合に、直径の変化する部分には応力が集中しないように、円弧状または緩やかな傾斜をもって変化するようにすべきである。
【００３６】
なお、中間部分２ｅを設けることなく、金具１ａの取り付け部分から、先端方向に向けて順次親綱支柱２の径が漸減するようにすれば、さらに緩やかな衝撃吸収が可能である。直径の変化する部分に応力が集中しないようにし、親綱支柱２の径が漸減するようにすること等によって、親綱支柱２の疲労強度が向上し、破損を防止できるから安全性を向上させることができる。
【００３７】
図６は、親綱支柱２をＨ鋼のフランジ部等の足場６に取り付けるように構成したもので、このような親綱支柱２は、一般に角型断面の中空パイプで形成されている。
【００３８】
すなわち、図６（Ａ）は、足場上の歩行方向の側面図で、図６（Ｂ）は、足場上の歩行方向に直角方向の正面図であり、衝撃力により変形されるとき、衝撃が緩和されやすいような角型断面の中空パイプになっている。
【００３９】
すなわち、角型断面の長手方向に屈曲させるようにするとともに、屈曲したとき角型断面の肉厚を、圧縮側を薄くし伸長側を厚くすることによって、屈曲に際して衝撃を緩和しつつ中空パイプの座屈を防止して、疲労強度を向上させることが出来る。
【００４０】
そして、この親綱支柱２には、二箇所のくびれ部２ｆ，２ｇが形成されているが、その作用方法は、図３の場合と同等であるから説明を省略する。
【００４１】
図７は、図６の親綱支柱２部分拡大図であり、上方のくびれ部２ｆを小径曲率の絞り加工とし、下方のくびれ部２ｇを大径曲率の絞り加工として、くびれ部２ｆが先に変形し、その後にくびれ部２ｇが変形するようにしたものである。
【００４２】
図８は、図８（Ａ）に親綱支柱２の側面を示し、その断面を図８（Ｂ）に示し断面が楕円形となるようにした実施形態を示している。
【００４３】
さらに、図９は、親綱支柱２の断面（Ｂ）が真円である実施形態を示している。
【００４４】
また、図１０は、パイプの肉厚の一部２ｈを薄くした実施形態で、図１１は、親綱支柱２の一部分に細いパイプ２ｉを差し込んで、機械的な強度の脆弱な部分を形成したものである。
【００４５】
なお、図１１の場合に、パイプ２ｉの材質は、通常の鋼管であっても十分な機能を確保し得るが、ステンレス鋼、タングステン−バナジュウムＷ−Ｖ鋼線またはチタン網など、屈曲力に対して剛性を有する材質のものを使用することによって、より効果を大きくすることが出来る。
【００４６】
さらに、図１２は、親綱支柱２の側方から形成する穴２ｊ、２ｋを複数個形成した実施形態、図１３は、親綱支柱２の側方から形成する穴２ｍ、２ｎの形状を、角型にした実施形態をそれぞれ示し、いずれも機械的な強度の脆弱な部分を形成したものである。
【００４７】
さらに、図１４は、親綱支柱２の一部分に密着巻きしたスプリング２ｐを差し込んだ実施形態、図１５は、親綱支柱２の一部分にプラスチック、ゴムなどの弾性体２ｑを差し込んだ実施形態をそれぞれ示し、いずれも衝撃力を弾性体によって吸収するための実施形態である。
【００４８】
これらの実施形態において、スプリング２ｐや弾性体２ｑは、親綱支柱２に十分な嵌合長さを確保して差し込まれた後、接着、溶接、ねじ止めなどによって強固に連結される。
【００４９】
図１６乃至図２１は、手摺構造を親綱支柱と親綱として利用した実施の形態を示す。
【００５０】
即ち、図１６は、親綱３に代えて、親綱支柱２に手摺り８を取り付けた実施形態を示している。
【００５１】
手摺り８には、くびれ部８ａが形成されるとともに、補助支柱９，９が手摺り８および親綱支柱２に対して回動自在に取り付けられ、くびれ部９ａが形成されている。
【００５２】
くびれ部８ａ，９ａは、上述の場合と同様に、衝撃力を吸収する部分として機能する。
【００５３】
すなわち、手摺り８に命綱４が嵌合されており、作業者５が転落して命綱４が伸張されると、手摺り８に衝撃力が加わり、くびれ部８ａやくびれ部２ｂ，２ｃ，９ａを屈曲点として変形し衝撃が緩和される。
【００５４】
図１７は、親綱支柱２と手摺り８とを一体化した実施形態を示している。
【００５５】
手摺り８には、くびれ部８ａが形成されるとともに、親綱支柱部２と一体に形成されている。
【００５６】
また、補助支柱９，９が手摺り８および親綱支柱部２に取り付けられ、くびれ部９ａが形成されている。
【００５７】
そして、手摺り８に命綱４が嵌合され、作業者５が転落して命綱４が伸張されると、手摺り８に衝撃力が加わり、上述の場合と同様に、くびれ部８ａやくびれ部２ｂ、９ａを屈曲点として衝撃が緩和される。
【００５８】
図１８は、図１７と同様に親綱支柱２と手摺り８とを一体化した実施形態を示している。
【００５９】
くびれ部８ａ，９ａがそれぞれ２箇所となり、くびれ部２ｃが追加され、補助支柱９，９の形態が変更になっている外は、機能的に同等である。
【００６０】
図１９および図２０も、図１７または図１８の補助支柱９，９を変形したもので、機能的に同等である。
【００６１】
さらに、図２１についても、補助支柱９，９を変形した実施形態で示している。
【００６２】
これらの図１９,２０,２１において補助支柱９,９にはくびれ部９ａが形成されていないが、細い材料で形成すれば各補助支柱９,９が、容易に変形して衝撃力を吸収させることが出来る。
【００６３】
上記それぞれの実施形態において、衝撃力を吸収させるべき部分の材質を、ステンレス鋼、タングステン−バナジュウムＷ−Ｖ鋼線またはチタン網などで形成すれば、効率的に衝撃を吸収する構造の安全装置を構成することが出来るようになる。
【００６４】
さらに、上記実施形態におけるそれぞれの変形部分は、弾性限度内であって変形後に、原状に復帰するのが最も好ましいが、使用の度に僅かな永久変形が徐々に残りつつ、複数回の使用に耐えるようなものや、一回の衝撃を受けたときに、永久変形を生じて使用不能になったとしても、大きな人身事故を回避できれば、当初の目的を十分に達成できたのであるから、それで足りると考えられる。
【００６５】
なお、本発明は、上記実施形態に限定されるものではなく、本発明の技術的思想の範囲内で、適宜変更して実施できることは容易に理解される。
【００６６】
【発明の効果】
以上のように、請求項1に記載した発明にあっては、命綱を嵌合した親綱に加わる衝撃負荷を、親綱または親綱支柱に設けた衝撃吸収部分によって緩衝するようにして命綱を保持するようにしている。
【００６７】
そして、この発明にあっては、作業者が転倒して落下したときでも、命綱を連結されていれば落下時の衝撃力を受けることなく、安全に作業者を救助することが出来るようになる。
【００６８】
また、請求項２に記載した発明によれば、建築、土木工事用の作業通路の片側または両側あるいは枠組み足場の足場板の片側または両側に親綱支柱を二つ以上起立し、各親綱支柱間に親綱を架設し、この親綱に命綱の基端を固定またはスライド自在に連結し、命綱の他端を作業者の身体に連結させている命綱保持用の安全装置において、親綱支柱の一部に機械的な強度が脆弱な部分を形成している。
【００６９】
そして、この発明にあっては、作業者が転倒して落下したときに、命綱を介して作業者に加わる衝撃力が、親綱支柱の一部に設けた機械的強度が脆弱な部分によって吸収されるので、受傷を軽減して安全に作業者を救助することが出来るようになる。
【００７０】
また、請求項３に記載した発明によれば、命綱を嵌合した親綱が連結された親綱支柱と、該親綱支柱を保持する建枠とからなる命綱保持用の安全装置において、命綱からの衝撃負荷に対して変形自在な部分を親綱支柱に形成している。
【００７１】
そして、この発明にあっては、命綱からの衝撃負荷に対して変形自在な部分を親綱支柱に形成しているから、簡単な構造で作業者に加わる衝撃力を緩和できる。
【００７２】
さらに、請求項４に記載した発明によれば、命綱を嵌合した親綱が連結された親綱支柱と、該親綱支柱を保持する建枠とからなる命綱保持用の安全装置において、命綱からの衝撃負荷に対して変形自在な部分を親綱自体に形成している。
【００７３】
そして、この発明にあっては、命綱からの衝撃負荷に対して変形自在な部分を親綱自体に形成しているから、作業者が転倒して落下したときに、命綱を介して作業者に加わる衝撃力を、直接吸収し緩和させることができる。
【００７４】
さらに、請求項５に記載した発明によれば、命綱からの衝撃負荷に対して変形自在な部分が、親綱支柱または親綱自体に局部的に細い形状に形成されている。
【００７５】
そして、この発明にあっては、命綱からの衝撃負荷に対して変形自在な部分が、親綱支柱または親綱自体に局部的に細い形状に形成されているから、命綱を介して作業者に加わる衝撃力を、効率的に吸収し緩和させることができる。
【００７６】
さらに、請求項６に記載した発明によれば、命綱からの衝撃負荷に対して変形自在な部分が、親綱支柱または親綱自体に局部的に細い形状で複数の個所に形成されている。
【００７７】
そして、この発明にあっては、命綱からの衝撃負荷に対して変形自在な部分が、親綱支柱または親綱自体に局部的に細い形状で複数の個所に形成されているから、命綱を介して作業者に加わる衝撃力を、段階的に順次吸収して効率的に緩和させることができる。
【００７８】
さらに、請求項７に記載した発明によれば、命綱からの衝撃負荷に対して変形自在な部分が、親綱支柱または親綱自体に局部的な穴で形成されている。
【００７９】
そして、この発明にあっては、命綱からの衝撃負荷に対して変形自在な部分が、親綱支柱または親綱自体に局部的な穴で形成されているから、簡単な加工によって所期の目的を達成する構造が得られ、命綱を介して作業者に加わる衝撃力を、容易かつ効率的に緩和させることができる。
【００８０】
さらに、請求項８に記載した発明によれば、命綱からの衝撃負荷に対して変形自在な部分が、先端部方向に向かって細い形状に形成されている。
【００８１】
そして、この発明にあっては、命綱からの衝撃負荷に対して変形自在な部分が、先端部方向に向かって細い形状に形成されているから、命綱を介して作業者に加わる衝撃力を、無段階で柔軟に緩和させることができる。
【００８２】
さらに、請求項９に記載した発明によれば、親綱支柱と親綱とが、手摺の手摺支柱と手摺支柱間に架設した横支柱とを兼ねた状態で、衝撃吸収部分をして形成いる。
【００８３】
そして、この発明にあっては、親綱支柱と親綱とが、手摺の手摺支柱と手摺支柱間に架設した横支柱とを兼ねた状態で、衝撃吸収部分をして形成いるから、建築、土木現場での安全装置の設置が容易になり、簡単な構造で命綱を介して作業者に加わる衝撃力を、容易かつ効率的に緩和させることができる。
【００８４】
その結果、この発明によれば、鉄骨フランジ等の足場に使用され、命綱を嵌合した親綱に加わる衝撃負荷を、親綱または親綱支柱等に設けた衝撃吸収部分によって緩衝するようにした命綱保持方法および命綱保持用の安全装置を提供することができる。
【図面の簡単な説明】
【図１】本発明の一実施形態を示す説明図である。
【図２】本発明の一実施形態を示す要部拡大図である。
【図３】本発明の第二の一実施形態を示す要部拡大図である。
【図４】本発明の第三の一実施形態を示す要部拡大図である。
【図５】本発明の第四の一実施形態を示す要部拡大図である。
【図６】本発明の第五の一実施形態を示す要部拡大図である。
【図７】本発明の第五の一実施形態について、部分説明用の要部拡大図である。
【図８】本発明の第六の一実施形態を示す要部拡大図である。
【図９】本発明の第七の一実施形態を示す要部拡大図である。
【図１０】本発明の第八の一実施形態を示す要部拡大図である。
【図１１】本発明の第九の一実施形態を示す要部拡大図である。
【図１２】本発明の第十の一実施形態を示す要部拡大図である。
【図１３】本発明の第十一の一実施形態を示す要部拡大図である。
【図１４】本発明の第十二の一実施形態を示す要部拡大図である。
【図１５】本発明の第十三の一実施形態を示す要部拡大図である。
【図１６】本発明の第十四の一実施形態を示す要部拡大図である。
【図１７】本発明の第十五の一実施形態を示す要部拡大図である。
【図１８】本発明の第十六の一実施形態を示す要部拡大図である。
【図１９】本発明の第十七の一実施形態を示す要部拡大図である。
【図２０】本発明の第十八の一実施形態を示す要部拡大図である。
【図２１】本発明の第十九の一実施形態を示す要部拡大図である。
【符号の説明】
Ａ  建枠
１  建材
２  親綱支柱
３  親綱
４  命綱
５  作業者
６  足場板
７  横材
８  手摺り
９  補助支柱
【図１】
2004194897.tif 000003
【図２】
2004194897.tif 000004
【図３】
2004194897.tif 000005
【図４】
2004194897.tif 000006
【図５】
2004194897.tif 000007
【図６】
2004194897.tif 000008
【図７】
2004194897.tif 000009
【図８】
2004194897.tif 000010
【図９】
2004194897.tif 000011
【図１０】
2004194897.tif 000012
【図１１】
2004194897.tif 000013
【図１２】
2004194897.tif 000014
【図１３】
2004194897.tif 000015
【図１４】
2004194897.tif 000016
【図１５】
2004194897.tif 000017
【図１６】
2004194897.tif 000018
【図１７】
2004194897.tif 000019
【図１８】
2004194897.tif 000020
【図１９】
2004194897.tif 000021
【図２０】
2004194897.tif 000022
【図２１】
2004194897.tif 000023